(57)【要約】【課題】  本発明は折り畳み蓋の閉操作を容易にしたカップホルダー装置を提供することを目的とする。【解決手段】  カップを収容支持する容器３０と、該容器３０の上部を開閉可能に蓋する折り畳み蓋３１とを具備し、該記折り畳み蓋３１はヒンジ結合された略同一の大きさの２つの蓋部材３１ａ，３１ｂよりなり、一方の蓋部材３１ａのヒンジ結合された辺の反対側の辺は容器３０にヒンジ結合され、他方の蓋部材３１ｂのヒンジ結合された辺の反対側の辺は、容器３１の上部に水平に設けられた案内溝３３に係合する案内部材３８が結合されてなるカップホルダー装置において、前記容器３０は弾性を有する樹脂にて形成され、前記案内溝３３の中間の上側には、前記案内部材３８を係止することができる突起３３ａが設けられてなるように構成する。【選択図】      図１
2006001355.tif 000002
【特許請求の範囲】
【請求項１】
カップを収容支持する容器（３０）と、該容器（３０）の上部を開閉可能に蓋する折り畳み蓋（３１）とを具備し、該記折り畳み蓋（３１）はヒンジ結合された略同一の大きさの２つの蓋部材（３１ａ，３１ｂ）よりなり、一方の蓋部材（３１ａ）のヒンジ結合された辺の反対側の辺は容器（３０）にヒンジ結合され、他方の蓋部材（３１ｂ）のヒンジ結合された辺の反対側の辺は、容器（３１）の上部に水平に設けられた案内溝（３３）に係合する案内部材（３８）が結合されてなるカップホルダー装置において、
前記容器（３０）は弾性を有する樹脂にて形成され、
前記案内溝（３３）の中間の上側には、前記案内部材（３８）を係止することができる突起（３３ａ）が設けられてなることを特徴とするカップホルダー装置。
【請求項２】
前記案内溝（３３）の突起（３３ａ）が設けられた部位の前後に傾斜を有する段差（３９）が設けられ、
前記段差（３９）の傾斜は前記案内部材（３８）が蓋を閉鎖する方向に進行するのに従って下がるように形成されてなることを特徴とする請求項１記載のカップホルダー装置。
【請求項３】
前記案内溝（３３）の突起（３３ａ）が設けられた部位の前後の上方又は下方に空間（４０）が設けられたことを特徴とする請求項１又は２に記載のカップホルダー装置。
【発明の詳細な説明】
【技術分野】
【０００１】
本発明は、カップホルダー装置に関し、さらに詳しく述べると、自動車のコンソールボックス、或いはシートバック等に設けられて、飲料の入ったカップや缶を保持して乗員に飲料を提供することができる折り畳み蓋を有するカップホルダー装置において、折り畳み蓋の閉操作を容易にしたカップホルダー装置に関する。
【背景技術】
【０００２】
従来、自動車の室内には、コンソールボックス、或いはシートバック等にカップホルダー装置が設けられている。このカップホルダーには単なるトレイ状のもの、あるいはカップを保持するリングを有するものがあるが、これらは、車体の振動に対して不安定であり、内容物がこぼれる危険がある。このため、蓋を利用してカップを保持する装置が開発されている。図４はその１例として特開平１０−２２６２６０号公報に記載されたカップホルダーを示したものである。
【０００３】
この、カップホルダーは、コンソールボックス１に設けられている。そしてコンソールボックス１には、ボックス本体２、リッド３を備えている。ボックス本体２は上面が開放した中空な構造であり、リッド３はボックス本体２の開放上面に開閉可能に取り付けられている。リッド３はカップ挿入口４、及びスライド扉５を備える。カップ挿入口４は、リッド３の上下を貫通する。スライド扉５はリッド３に設けられたスライドレール６にスライド可能に保持され、カップ挿入口４を開閉する。スライド扉５はカップ挿入口４に挿入されたカップＡの周囲に当接するようにスライドし、カップ挿入口４の開口量を調節することで、カップ挿入口４の内縁部との間でカップ７を保持するようになっている。
【０００４】
また、図５は従来のカップホルダーの他の例として、特開２００１−２７０３７３号公報に記載された装置を示す図である。このカップホルダー１０は、凹部１１を形成する箱部材１２と、該箱部材の開口１３を閉塞するリッド１４を備える。リッド１４は軸部材１５を用いて開口１３から凹部内方に回転自在に取り付けられ、捩じりコイルばね１６によって開口１３側に付勢されている。そしてカップ１７の挿入に伴いリッド１４が凹部内方に回動し、カップ１７の径に拘わらずリッド１４がその側部に自動的に当接してカップ１７を保持するようになっている。
【０００５】
しかし、図４で説明したカップホルダーにおいては、カップ挿入時にはカップを挿入し易いようにスライド扉５を少し多めに開いておき、カップ挿入後それを保持するためにスライド扉５をスライドさせカップに当接させる動作が必要になる。また、図５で説明したカップホルダーにおいては、カップの挿入性には問題無いが、ホールド部が下方すぎて実質のホールド性は良くない。そして両者共、それぞれの操作荷重とホールド荷重は同じでありカップの水量が多い場合にはカップが倒れてしまう危険性がある。
【０００６】
そこで、現在では、図６に示すような折り畳み蓋を有してホールド性を改良したカップホルダー装置が提供されている。これは同図（ａ）の斜視図及び（ｂ）の断面図に示すように、カップを収容支持する容器２０と、該容器２０の上部を開閉可能に蓋する折り畳み蓋２１とを具備し、該記折り畳み蓋２１はヒンジ結合された略同一の大きさの２つの蓋部材２１ａ，２１ｂよりなり、一方の蓋部材２１ａのヒンジ結合された辺の反対側の辺は容器２０にヒンジ結合され、他方の蓋部材２１ｂのヒンジ結合された辺の反対側の辺は、容器２０の上部に水平に設けられた案内溝２３に係合する案内部材２８に結合されている。
【０００７】
また、蓋部材２１ａ，２１ｂのヒンジ軸２５には常時２つの蓋部材２１ａ，２１ｂを一平面となるように付勢するばね２６が設けられ、前記案内溝２３には折り畳み蓋２１を半開きした状態で係止することができる突起２３ａが形成されている。そして、カップ２９を保持させるには図７（ｂ）の如く、折り畳み蓋２１を半開きした状態で図７（ｃ）の如くカップ２９を押し込めばよい。また、使用後、半開きした状態の折り畳み蓋２１を閉めるには、図７（ｂ）の状態でヒンジ部２４を矢印Ａ方向に押圧すればよいのであるが、このとき他方の蓋部材２１ｂが相当の傾斜をしているため、案内部材２８が案内溝２３の突起２３ａを乗り越えるのに相当な力を要し、さらには乗り越えられない場合も生じるという問題がある。
【０００８】
【特許文献１】特開平１０−２２６２６０号公報
【特許文献２】特開２００１−２７０３７３号公報
【発明の開示】
【発明が解決しようとする課題】
【０００９】
本発明は、上記のような従来の技術の問題点を解決することを目的とする。
本発明の目的は、自動車のコンソールボックス、或いはシートバック等に設けられて、飲料の入ったカップや缶を保持して乗員に飲料を提供することができる折り畳み蓋を有するカップホルダー装置において、折り畳み蓋の閉操作を容易にしたカップホルダー装置を提供することにある。
本発明の上記したような目的は、以下の詳細な説明から容易に理解することができるであろう。
【課題を解決するための手段】
【００１０】
本発明の請求項１のカップホルダー装置は、カップを収容支持する容器３０と、該容器３０の上部を開閉可能に蓋する折り畳み蓋３１とを具備し、該記折り畳み蓋３１はヒンジ結合された略同一の大きさの２つの蓋部材３１ａ，３１ｂよりなり、一方の蓋部材３１ａのヒンジ結合された辺の反対側の辺は容器３０にヒンジ結合され、他方の蓋部材３１ｂのヒンジ結合された辺の反対側の辺は、容器３１の上部に水平に設けられた案内溝３３に係合する案内部材３８が結合されてなるカップホルダー装置において、前記容器３０は弾性を有する樹脂にて形成され、前記案内溝３３の中間の上側には、前記案内部材３８を係止することができる突起３３ａが設けられてなることを特徴とする。
【００１１】
また、請求項２は、前記案内溝３３の突起３３ａが設けられた部位の前後に傾斜を有する段差３９が設けられ、前記段差３９の傾斜は前記案内部材３８が蓋を閉鎖する方向に進行するのに従って下がるように形成されてなることを特徴とする。また、請求項３は、前記案内溝３３の突起３３ａが設けられた部位の前後の上方又は下方に空間４０が設けられたことを特徴とする。
【発明の効果】
【００１２】
本発明によれば、以下の詳細な説明から理解されるように、自動車のコンソールボックス、或いはシートバック等に設けられて、飲料の入ったカップや缶を保持して乗員に飲料を提供することができる折り畳み蓋を有するカップホルダー装置であって、折り畳み蓋の閉操作を容易にしたカップホルダー装置を提供することができる。
【発明を実施するための最良の形態】
【００１３】
引き続いて、本発明の実施例について説明する。なお、本発明は、これらの実施例によって限定されるものでないことは言うまでもない。
【００１４】
図１は本発明のカップホルダー装置の第１の実施例を示す図で、（ａ）は斜視図、（ｂ）は断面図である、本実施例は同図に示すように、カップを収容する容器３０と、折り畳み蓋３１とよりなり、容器３０は底付き円筒状の下部部材３０ａと、その上部に形成された四角形状の上部部材３０ｂとで構成され、弾性を有する樹脂で形成されている。なお、弾性を有する樹脂としては例えばポリアセタールが好ましい。
【００１５】
そして、該上部部材３０ｂには蓋３１を収容する円形状の孔３２が形成され、該孔３２には蓋の支持部が挿入される角形の凹部３２ａと蓋を開けるときに指を挿入することができる半円形の凹部３２ｂが形成されている。また、該上部部材３０ｂの内部の両側には、蓋３１を案内するための案内溝３３が形成されている。また、該案内溝３３の上側には蓋３１を係止するための突起３３ａが形成されている。
【００１６】
また、折り畳み蓋３１は円形状であり、その中央で第１蓋部材３１ａと第２蓋部材３１ｂに２分され、該第１蓋部材３１ａと第２蓋部材３１ｂはヒンジ軸３５により折り畳み可能に連結され、且つ図示なきばねにより該第１蓋部材３１ａと第２蓋部材３１ｂが常時容器を閉鎖する方向に付勢されている。また、第１蓋部材３１ａの一端は、ヒンジ軸３７により容器３０の上部部材３０ｂに回動可能に支持されている。また、第２蓋部材３１ｂは先端がＬ字上に屈曲され、その先端に長い棒状の案内部材３８が取り付けられ、該案内部材３８の両端は前記本体３０の上部部材３０ｂに形成された案内溝３３に摺動可能に係合されている。
【００１７】
このように形成された本第１の実施例は、折り畳み蓋３１が容器３０を閉鎖している状態から、第２蓋部材３１ｂの端部を指で押圧すると図２（ａ）の如く、第１蓋部材３１ａと第２蓋部材３１ｂはヒンジ部３４で折れ曲がって立ち上がる。そして案内部材３８が突起３３ａを乗り越えると、手を放してもその状態を保持する。この状態で上方からカップを押し込めば第２蓋部材３１ｂによりカップを押圧保持することができる。
【００１８】
カップ使用後は、カップを取り除けば、第２蓋部材３１ｂは、案内部材３８が突起３３ａに係止されて停止し、図２（ａ）の状態となる。この状態から折り畳み蓋３１で容器３０を閉鎖するにはヒンジ部３４を矢印Ａ方向に強く押圧し、案内部材３８が突起３３ａを乗り越えるようにすればよい。この際、案内部材３８は、図２（ｂ）に示すように、操作力が矢印Ｐ方向に作用し案内溝３３を押圧するので、案内溝３３は弾性変形し溝幅を広げて案内部材３８が突起３３ａを乗り越え易くすることができる。この場合、従来の如く、突起３３ａが案内溝３３の下部にあると案内溝３３の弾性変形の効果がなく、案内部材３８が突起３３ａを乗り越えるのには大きな力を要する。
【００１９】
図３は本発明の第２の実施例を示す図である。本第２の実施例が第１の実施例と異なるところは、案内溝３３の一部に、案内部材３８が蓋を閉めるように進行する方向に下がる傾斜を有する段差３９を設けたことである。そして、この傾斜部の途中の上側に突起３３ａを設けている。このように構成された本実施例は、操作力Ｐに対して推進力Ｐ′が、傾斜の無い場合に比して大きくなり、操作力が小さくて済むことになる。
【００２０】
なお、第１の実施例及び第２の実施例において、案内溝３３の上方又は下方に、突起３３ａの前後に延びる空間４０を設けても良い。このように空間４０を設けた場合は、案内溝３３の弾性的変形が容易となり操作力を更に小さくすることができる。
【産業上の利用可能性】
【００２１】
以上、本発明を特にその最良の形態について説明した。最後のまとめとして、本発明の構成及びそのバリエーションを以下に付記として列挙する。
前記実施例はカップホルダー装置を例にとり説明したが、小物入れや携帯ホルダー等にも応用可能である。
【図面の簡単な説明】
【００２２】
【図１】本発明のカップホルダー装置の第１の実施例を示す図で、（ａ）は斜視図、（ｂ）は断面図である。
【図２】本発明の第１の実施例の作用を説明するための図である。
【図３】本発明のカップホルダー装置の第２の実施例を説明するための図である。
【図４】従来のカップホルダー装置の１例を示す図である。
【図５】従来のカップホルダー装置の他の例を示す図である。
【図６】従来のカップホルダー装置の更に他の例を示す図である。
【図７】図６のカップホルダー装置の作用を説明するための図である。
【符号の説明】
【００２３】
３０…容器
３１…折り畳み蓋
３２…孔
３３…案内溝
３４…ヒンジ部
３５、３７…ヒンジ軸
３８…案内部材
３９…段差
４０…空間
【図１】
2006001355.tif 000003
【図２】
2006001355.tif 000004
【図３】
2006001355.tif 000005
【図４】
2006001355.tif 000006
【図５】
2006001355.tif 000007
【図６】
2006001355.tif 000008
【図７】
2006001355.tif 000009